(57)【要約】【課題】狩猟や標的射撃等で猟銃を扱う場合において、装弾の有無の確認が困難であることから、情報伝達装置３によって猟銃の所持者および周囲の狩猟者に装弾を知らせ、不当装填時には装弾している狩猟者に脱包を促すことで暴発事故を確実に防止することを可能にする。【解決手段】圧力や接触等を感知するセンサー１、センサー１からの出力信号によって装弾の検出を行う装弾検出手段２、音や表示等で装弾を猟銃の所持者および周囲の狩猟者に知らせる情報伝達装置３、装置に電源を供給するバッテリー等の電源部４を備えることで、情報伝達装置３によって猟銃の所持者および周囲の狩猟者に装弾を知らせ、不当装填時には装弾している狩猟者に脱包を促すことで暴発事故を確実に防止することを可能にする。【選択図】図１
2017150675.tif 000002
【特許請求の範囲】
【請求項１】
この発明は、狩猟や標的射撃等で猟銃を扱う場合において、圧力や接触等を感知するセンサー１、センサー１からの出力信号によって装弾の検出を行う装弾検出手段２、音や表示等で装弾を猟銃の所持者および周囲の狩猟者に知らせる情報伝達装置３、装置に電源を供給するバッテリー等の電源部４を備えることを特徴とするセンサーを利用した装弾検出装置である。
【発明の詳細な説明】
【技術分野】
【０００１】
この発明は、狩猟や標的射撃等で猟銃を扱う場合において、猟銃に装弾すると圧力や接触等をセンサー１が感知して信号を装弾検出手段２に出力し、装弾検出手段２はセンサー１の出力信号によって装弾を検出し、情報伝達装置３を作動させて猟銃の所持者および周囲の狩猟者にも装弾状態にあることを知らせる。この様に狩猟や標的射撃等で猟銃を扱う場合において、装弾を検出できるセンサーを利用した装弾検出装置である。
【背景技術】
【０００２】
従来技術によるセンサーを利用した装弾検出装置については、電気的または機構的な構造を利用した装置は存在していない。従来の方法では、図２に示される様に元折式の猟銃の場合は銃身を折って装弾を目視によって確認する方法である。この様に従来の方法では、目視によって直に装弾を確認する方法である。
【先行技術文献】
【非特許文献】
【０００３】
【非特許文献１】（社）全日本指定射撃場協会発行の「猟銃等取扱いの知識と実際」
【発明の概要】
【発明が解決しようとする課題】
【０００４】
従来の方法は、元折式の猟銃の場合は銃身を折って装弾を目視によって確認する原始的な方法であるが、猟銃の取扱いの極めて重要な原則である「発射する時以外は必ず脱包して機関は必ず解放する。」を厳守すれば暴発事故は絶対に発生しない。狩猟者は猟銃の所持許可証を取得しており猟銃の取扱いについて精通しているためこの重要な原則を厳守しているが、この原則を厳守できない一部の狩猟者は暴発事故を起こして毎年多くの死傷者を出している。この発明は、装弾をセンサー１で感知して音や表示等の手段で情報を伝達できる情報伝達装置３で猟銃の所持者および周囲の狩猟者に装弾状態にあることを知らせ、不当装填時には周囲の狩猟者が装弾している狩猟者に脱包を促すことで暴発事故を確実に防止できることを目的とする。
【課題を解決するための手段】
【０００５】
この目的を達成するために、この発明は狩猟や標的射撃等で猟銃を扱う場合において、圧力や接触等を感知するセンサー１、センサー１からの出力信号によって装弾の検出を行う装弾検出手段２、音や表示等で装弾を猟銃の所持者および周囲の狩猟者に知らせる情報伝達装置３、装置に電源を供給するバッテリー等の電源部４を備える。
【発明の効果】
【０００６】
この発明によれば、狩猟や標的射撃等で猟銃を扱う場合において、圧力や接触等を感知するセンサー１、センサー１からの出力信号によって装弾の検出を行う装弾検出手段２、音や表示等で装弾を猟銃の所持者および周囲の狩猟者に知らせる情報伝達装置３、装置に電源を供給するバッテリー等の電源部４を備えることによって、装弾をセンサー１で感知して音や表示等の手段で情報を伝達できる情報伝達装置３で猟銃の所持者および周囲の狩猟者に装弾状態にあることを知らせ、不当装填時には周囲の狩猟者が装弾している狩猟者に脱包を促すことで暴発事故を確実に防止ができる。
【図面の簡単な説明】
【０００７】
【図１】この発明によるセンサーを利用した装弾検出装置における装置の構成図である。
【図２】従来の方法による装弾を目視によって確認する方法である。
【図３】この発明によるセンサーを利用した装弾検出装置における装置の動作手順を説明するフローチャートである。
【図４】この発明によるセンサーを利用した装弾検出装置における装置を実現した一例である。
【発明を実施するための形態】
【０００８】
この発明によるセンサーを利用した装弾検出装置における装置構成を図１、図３によって説明する。図１はこの発明によるセンサーを利用した装弾検出装置における装置の構成図であり、図３はこの発明によるセンサーを利用した装弾検出装置における装置の動作手順を説明するフローチャートである。図３の３１ではセンサー１が装弾を感知して、３２で信号を装弾検出手段２に出力し、３３で装弾検出手段２は処理を開始する。３４で装弾検出手段２はセンサー１の信号出力３２によって装弾を検出して、３５で情報伝達手段３を作動させ猟銃の所持者および周囲の狩猟者にも装弾状態にあることを知らせて、３６で処理を終了する。
【０００９】
これによって、この発明によるセンサーを利用した装弾検出装置における装置では、装弾をセンサー１で感知して音や表示等の手段で情報を伝達できる情報伝達装置３で猟銃の所持者および周囲の狩猟者に装弾状態にあることを知らせ、不当装填時には周囲の狩猟者が装弾している狩猟者に脱包を促すことで暴発事故を確実に防止できることを目的とする。
【実施例】
【００１０】
この発明によるセンサーを利用した装弾検出装置における装置を実現した一例を図４により説明する。図４はセンサーを利用した装弾検出装置における装置を実現した一例で、センサー４０はメンブレンスイッチ等の接触時の圧力でオン・オフできる薄型スイッチや圧力センサー、接触センサー、金属センサー等の圧力や接触等で装弾を感知することができるセンサー、赤色ＬＥＤ４２は赤色の発光をする発光ダイオード、電流制限抵抗器４１は赤色ＬＥＤ４２に流れる電流値を制限する抵抗器、電源４３は装置の動作に必要な電源を供給する電池等の電源、実包４４は銃身に装弾する実包、実包４４を装弾した場合に感知する部分４５は実包４４を装弾した時にセンサー４０が感知できるセンサー４０の感知部分である。
【００１１】
実包４４が銃身に装弾されて、実包４４を装弾した場合に感知する部分４５に実包４４の接触するとその圧力や接触等によってセンサー４０がオフ状態からオン状態になり、電源４３から電流が流れる。この電流を電流制限抵抗器４１で制御して適切な電流を赤色ＬＥＤ４２に流して赤色に発光させる。
【００１２】
この様にセンサーを利用した装弾検出装置における装置を実現した場合の一例である図４の装置では、装弾をセンサー１で感知して音や表示等の手段で情報を伝達できる情報伝達装置３で猟銃の所持者および周囲の狩猟者に装弾状態にあることを知らせ、不当装填時には周囲の狩猟者が装弾している狩猟者に脱包を促すことで暴発事故を確実に防止ができる。
【符号の説明】
【００１３】
１  センサー
２  装弾検出手段
３  情報伝達装置
４  電源部
【図１】
2017150675.tif 000003
【図２】
2017150675.tif 000004
【図３】
2017150675.tif 000005
【図４】
2017150675.tif 000006
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
猟銃に装着したセンサーが前記猟銃への装弾を感知して装弾検出手段に信号を出力することによって、前記装弾検出手段は装弾を検出して前記猟銃の所持者および周囲の狩猟者に前記猟銃の装弾状態を知らせることを特徴とするセンサーを利用した装弾検出装置。
【請求項２】
前記装弾検出手段は、前記猟銃の所持者および周囲の狩猟者に前記猟銃の装弾状態を情報伝達装置によって音や表示で知らせることを特徴とする請求項１記載のセンサーを利用した装弾検出装置。
【請求項３】
前記情報伝達装置は、音を出力する装置、ＬＥＤや電球の様に点灯や滅灯または点滅する装置、または表示器に情報を表示する装置を備えることによって、前記猟銃の所持者および周囲の狩猟者に前記猟銃の装弾状態を知らせることを特徴とする請求項１または２記載のセンサーを利用した装弾検出装置。
【請求項４】
前記センサーは、前記猟銃への装弾時に実包の接触を感知する接触センサーや金属センサー、または接触時の圧力を感知する圧力センサーや薄型スイッチを備えることによって、前記猟銃の装弾状態を感知することを特徴とする請求項１記載のセンサーを利用した装弾検出装置。
【手続補正２】
【補正対象書類名】明細書
【補正対象項目名】全文
【補正方法】変更
【補正の内容】
【発明の詳細な説明】
【技術分野】
【０００１】この発明は、狩猟や標的射撃等で猟銃を扱う場合において、猟銃に装着したセンサーによって猟銃への装弾を検出して、猟銃の所持者および周囲の狩猟者に猟銃が装弾状態にあることを知らせることができるセンサーを利用した装弾検出装置に関するものである。
【背景技術】
【０００２】  従来技術によるセンサーを利用した装弾検出装置については、電気的または機構的な構造を利用した装置は存在していない。従来の方法では、図２に示される様に元折式の猟銃の場合は銃身を折って装弾を目視によって確認する方法である。この様に従来の方法では、目視によって直に装弾を確認する方法である。
【先行技術文献】
【非特許文献】
【０００３】
【非特許文献１】（社）全日本指定射撃場協会発行の「猟銃等取扱いの知識と実際」
【発明の概要】
【発明が解決しようとする課題】
【０００４】  従来の方法は、元折式の猟銃の場合は銃身を折って装弾を目視によって確認する原始的な方法であるが、猟銃の取扱いの極めて重要な原則である「発射する時以外は必ず脱包して機関は必ず解放する。」を厳守すれば暴発事故は絶対に発生しない。狩猟者は猟銃の所持許可証を取得しており猟銃の取扱いについて精通しているためこの重要な原則を厳守しているが、この原則を厳守できない一部の狩猟者は暴発事故を起こして毎年多くの死傷者を出している。この発明は、装弾をセンサー１で感知して音や表示等の手段で情報を伝達できる情報伝達装置３で猟銃の所持者および周囲の狩猟者に装弾状態にあることを知らせ、不当装填時には周囲の狩猟者が装弾している狩猟者に脱包を促すことで暴発事故を確実に防止できることを目的とする。
【課題を解決するための手段】
【０００５】この目的を達成するために、猟銃に装着したセンサーが前記猟銃への装弾を感知して装弾検出手段に信号を出力することによって、前記装弾検出手段は装弾を検出して前記猟銃の所持者および周囲の狩猟者に前記猟銃の装弾状態を知らせることで、前記猟銃の所持者および周囲の狩猟者が前記猟銃の装弾状態を確認ができることから、前記猟銃の所持者が不当装填であることを気付けば自身で脱包し、周囲の狩猟者が不当装填であることを気付けば前記猟銃の所持者に脱包を促すことで暴発事故を防止できる。【０００６】前記装弾検出手段は、前記猟銃の所持者および周囲の狩猟者に前記猟銃の装弾状態を情報伝達装置によって音や表示で知らせることで、前記猟銃の所持者および周囲の狩猟者が前記猟銃の装弾状態を確認ができることから、前記猟銃の所持者が不当装填であることを気付けば自身で脱包し、周囲の狩猟者が不当装填であることを気付けば前記猟銃の所持者に脱包を促すことで暴発事故を防止できる。【０００７】前記情報伝達装置は、音を出力する装置、ＬＥＤや電球の様に点灯や滅灯または点滅する装置、または表示器に情報を表示する装置を備えることによって、前記猟銃の所持者および周囲の狩猟者に前記猟銃の装弾状態を知らせることで、前記猟銃の所持者および周囲の狩猟者が前記猟銃の装弾状態を確認ができることから、前記猟銃の所持者が不当装填であることを気付けば自身で脱包し、周囲の狩猟者が不当装填であることを気付けば前記猟銃の所持者に脱包を促すことで暴発事故を防止できる。【０００８】前記センサーは、前記猟銃への装弾時に実包の接触を感知する接触センサーや金属センサー、または接触時の圧力を感知する圧力センサーや薄型スイッチを備えることによって、前記猟銃の装弾状態を感知することができ、暴発事故の原因である前記猟銃への不当装填を確認することができる。
【発明の効果】
【０００９】  この発明によれば、狩猟や標的射撃等で猟銃を扱う場合において、圧力や接触等を感知するセンサー１、センサー１からの出力信号によって装弾の検出を行う装弾検出手段２、音や表示等で装弾を猟銃の所持者および周囲の狩猟者に知らせる情報伝達装置３、装置に電源を供給するバッテリー等の電源部４を備えることによって、装弾をセンサー１で感知して音や表示等の手段で情報を伝達できる情報伝達装置３で猟銃の所持者および周囲の狩猟者に装弾状態にあることを知らせ、不当装填時には周囲の狩猟者が装弾している狩猟者に脱包を促すことで暴発事故を確実に防止ができる。
【図面の簡単な説明】
【００１０】
【図１】この発明によるセンサーを利用した装弾検出装置における装置の構成図である。
【図２】従来の方法による装弾を目視によって確認する方法である。
【図３】この発明によるセンサーを利用した装弾検出装置における装置の動作手順を説明するフローチャートである。
【図４】この発明によるセンサーを利用した装弾検出装置における装置を実現した一例である。
【発明を実施するための形態】
【００１１】  この発明によるセンサーを利用した装弾検出装置における装置構成を図１、図３によって説明する。図１はこの発明によるセンサーを利用した装弾検出装置における装置の構成図であり、図３はこの発明によるセンサーを利用した装弾検出装置における装置の動作手順を説明するフローチャートである。図３の３１ではセンサー１が装弾を感知して、３２で信号を装弾検出手段２に出力し、３３で装弾検出手段２は処理を開始する。３４で装弾検出手段２はセンサー１の信号出力３２によって装弾を検出して、３５で情報伝達手段３を作動させ猟銃の所持者および周囲の狩猟者にも装弾状態にあることを知らせて、３６で処理を終了する。
【００１２】  これによって、この発明によるセンサーを利用した装弾検出装置における装置では、装弾をセンサー１で感知して音や表示等の手段で情報を伝達できる情報伝達装置３で猟銃の所持者および周囲の狩猟者に装弾状態にあることを知らせ、不当装填時には周囲の狩猟者が装弾している狩猟者に脱包を促すことで暴発事故を確実に防止できることを目的とする。
【実施例】
【００１３】  この発明によるセンサーを利用した装弾検出装置における装置を実現した一例を図４により説明する。図４はセンサーを利用した装弾検出装置における装置を実現した一例で、センサー４０はメンブレンスイッチ等の接触時の圧力でオン・オフできる薄型スイッチや圧力センサー、接触センサー、金属センサー等の圧力や接触等で装弾を感知することができるセンサー、赤色ＬＥＤ４２は赤色の発光をする発光ダイオード、電流制限抵抗器４１は赤色ＬＥＤ４２に流れる電流値を制限する抵抗器、電源４３は装置の動作に必要な電源を供給する電池等の電源、実包４４は銃身に装弾する実包、実包４４を装弾した場合に感知する部分４５は実包４４を装弾した時にセンサー４０が感知できるセンサー４０の感知部分である。【００１４】  実包４４が銃身に装弾されて、実包４４を装弾した場合に感知する部分４５に実包４４の接触するとその圧力や接触等によってセンサー４０がオフ状態からオン状態になり、電源４３から電流が流れる。この電流を電流制限抵抗器４１で制御して適切な電流を赤色ＬＥＤ４２に流して赤色に発光させる。【００１５】  この様にセンサーを利用した装弾検出装置における装置を実現した場合の一例である図４の装置では、装弾をセンサー１で感知して音や表示等の手段で情報を伝達できる情報伝達装置３で猟銃の所持者および周囲の狩猟者に装弾状態にあることを知らせ、不当装填時には周囲の狩猟者が装弾している狩猟者に脱包を促すことで暴発事故を確実に防止ができる。
【符号の説明】
【００１６】  １        センサー
２        装弾検出手段
３        情報伝達装置
４        電源部
【手続補正書】
【提出日】平成28年3月9日(2016.3.9)
【手続補正１】
【補正対象書類名】明細書
【補正対象項目名】００１４
【補正方法】変更
【補正の内容】
【００１４】  実包４４が銃身に装弾されて、実包４４を装弾した場合に感知する部分４５に実包４４が接触すると、その圧力や接触等によってセンサー４０がオフ状態からオン状態になり、電源４３から電流が流れる。この電流を電流制限抵抗器４１で制御して適切な電流を赤色ＬＥＤ４２に流して赤色に発光させる。